(57)【特許請求の範囲】
【請求項１】
物理層データユニットのプリアンブルの複数のトレーニングフィールドを生成する段階と、
マッピング行列を使用して、前記複数のトレーニングフィールドのトレーニングフィールドを、複数の信号ストリームの信号ストリーム各々にマッピングする段階と、
少なくとも第１信号フィールドおよび第２信号フィールドを生成する段階を含む、前記データユニットの前記プリアンブルの複数の信号フィールドを生成する段階と、
前記マッピング行列の複数列の一列を使用して、前記第２信号フィールドを前記複数の信号ストリームにマッピングする段階と、
前記複数の信号ストリームを複数の空間ストリームにマッピングする段階と、
少なくとも前記複数のトレーニングフィールド、前記第１信号フィールドおよび前記第２信号フィールドを含むための前記データユニットの前記プリアンブルを生成する段階であって、前記第１信号フィールドが前記プリアンブルのステアリングされていない部分で送信され、かつ前記第２信号フィールドが前記プリアンブルのステアリングされる部分で送信されるように前記プリアンブルを生成する段階を含む、前記プリアンブルを生成する段階と、
少なくとも前記データユニットの前記プリアンブルを送信する段階と、を備える方法。
【請求項２】
前記マッピング行列の前記複数列の一列を使用して、前記信号フィールドを前記複数の信号ストリームにマッピングする段階は、
前記マッピング行列の最も左の列を使用することを含む、請求項１に記載の方法。
【請求項３】
前記第２信号フィールドは、１つの直交周波数分割多重（ＯＦＤＭ）シンボルに対応し、
前記方法は、
符号化率が１／２である２値畳み込み符号化（ＢＣＣ）に従って前記第２信号フィールドを符号化する段階と、
二位相変移変調（ＢＰＳＫ）を使用して前記第２信号フィールドを変調する段階と、を更に備える請求項１または２に記載の方法。
【請求項４】
前記物理層データユニットの前記プリアンブルは、高スループット（ＶＨＴ）プロトコルに準拠して生成され、
前記第１信号フィールドは、ＶＨＴＳＩＧＡ信号フィールドであり、
前記第２信号フィールドは、ＶＨＴＳＩＧＢ信号フィールドである、請求項１から３のいずれか１項に記載の方法。
【請求項５】
物理層処理ユニットを有するネットワークインターフェースを備える装置であって、
前記物理層処理ユニットは、
物理層データユニットのプリアンブルの複数のトレーニングフィールドを生成し、
マッピング行列を使用して、前記複数のトレーニングフィールドのトレーニングフィールドを、複数の信号ストリームの信号ストリーム各々にマッピングし、
少なくとも第１信号フィールドおよび第２信号フィールドを生成すべく前記データユニットの前記プリアンブルの信号フィールドを生成し、
前記マッピング行列の複数列の一列を使用して、前記第２信号フィールドを前記複数の信号ストリームにマッピングし、
前記複数の信号ストリームを複数の空間ストリームにマッピングし、
前記第１信号フィールドが前記プリアンブルのステアリングされていない部分で送信され、かつ前記第２信号フィールドが前記プリアンブルのステアリングされる部分で送信されるように、少なくとも前記複数のトレーニングフィールド、前記第１信号フィールドおよび前記第２信号フィールドを含むための前記データユニットの前記プリアンブルを生成し、
前記複数の空間ストリームを介して、少なくとも前記データユニットの前記プリアンブルを送信させる装置。
【請求項６】
前記マッピング行列の前記複数列の一列を使用して、前記信号フィールドを前記複数の信号ストリームにマッピングすることは、
前記マッピング行列の最も左の列を使用することを含む請求項５に記載の装置。
【請求項７】
前記物理層処理ユニットは、
２値畳み込み符号化（ＢＣＣ）を使用して前記第２信号フィールドを符号化するエンコーダと、
前記第２信号フィールドを直交周波数分割多重（ＯＦＤＭ）シンボルのサブキャリアにマッピングするコンスタレーションマッピングユニットと、
ｉ）前記マッピング行列を使用して、前記複数のトレーニングフィールドの前記トレーニングフィールドを、前記複数の信号ストリームの信号ストリーム各々にマッピングし、ｉｉ）前記マッピング行列の前記一列を使用して、前記第２信号フィールドを前記複数の信号ストリームにマッピングする、信号ストリームマッピング部と、
前記複数の信号ストリームを前記複数の空間ストリームにマッピングする空間ストリームマッピング部とを含む請求項５または６に記載の装置。
【請求項８】
前記物理層処理ユニットは、高スループット（ＶＨＴ）プロトコルに準拠して前記物理層データユニットの前記プリアンブルを生成するように構成され、
前記第１信号フィールドは、ＶＨＴＳＩＧＡ信号フィールドであり、
前記第２信号フィールドは、ＶＨＴＳＩＧＢ信号フィールドである、請求項５から７のいずれか１項に記載の装置。
【請求項９】
マルチユーザ物理層データユニットのプリアンブルの複数のトレーニングフィールドを生成する段階と、
マッピング行列を使用して、前記複数のトレーニングフィールドのトレーニングフィールドを、複数の信号ストリームの信号ストリーム各々にマッピングする段階と、
第１クライアントデバイスに対応する前記データユニットの前記プリアンブルの第１信号フィールドを生成する段階と、
前記マッピング行列の一列の前記第１クライアントデバイスに対応する部分を使用して、前記第１信号フィールドを前記第１クライアントデバイスに対応する前記複数の信号ストリームにマッピングする段階と、
第２クライアントデバイスに対応する前記データユニットの前記プリアンブルの第２信号フィールドを生成する段階と、
前記マッピング行列の前記一列の前記第２クライアントデバイスに対応する部分を使用して、前記第２信号フィールドを前記第２クライアントデバイスに対応する前記複数の信号ストリームにマッピングする段階と、
前記複数の信号ストリームを複数の空間ストリームにマッピングする段階と、
前記複数の空間ストリームを介して、少なくとも、ｉ）前記複数のトレーニングフィールド、ｉｉ）前記第１信号フィールド、及び、ｉｉｉ）前記第２信号フィールドを送信する段階とを備え、
前記マッピング行列の各列の異なる部分は、前記第１クライアントデバイス及び前記第２クライアントデバイスを含む複数の異なるクライアントデバイスに対応している方法。
【請求項１０】
前記第１クライアントデバイスに対応し前記第１信号フィールドを前記複数の信号ストリームにマッピングするのに使用される前記マッピング行列の前記一列の前記部分は、前記マッピング行列の最も左の列の一部分に対応し、
前記第２クライアントデバイスに対応し前記第２信号フィールドを前記複数の信号ストリームにマッピングするのに使用される前記マッピング行列の前記一列の前記部分は、前記マッピング行列の前記最も左の列の別の部分に対応する請求項９に記載の方法。
【請求項１１】
前記第１信号フィールド及び前記第２信号フィールドはそれぞれ、１つの直交周波数分割多重（ＯＦＤＭ）シンボルに対応し、
前記方法は更に、
符号化率が１／２である２値畳み込み符号化（ＢＣＣ）に従って、前記第１信号フィールド及び前記第２信号フィールドをそれぞれ符号化する段階と、
二位相変移変調（ＢＰＳＫ）を使用して前記第１信号フィールド及び前記第２信号フィールドをそれぞれ変調する段階とを備える請求項９または１０に記載の方法。
【請求項１２】
前記マルチユーザ物理層データユニットは、高スループット（ＶＨＴ）プロトコルに準拠し、
前記第１信号フィールドは、前記第１クライアントデバイスに対応するＶＨＴＳＩＧＢ信号フィールドであり、
前記第２信号フィールドは、前記第２クライアントデバイスに対応するＶＨＴＳＩＧＢ信号フィールドである、請求項９から１１のいずれか１項に記載の方法。
【請求項１３】
物理層処理ユニットを有するネットワークインターフェースを備える装置であって、
前記物理層処理ユニットは、
マルチユーザ物理層データユニットのプリアンブルの複数のトレーニングフィールドを生成し、
マッピング行列を使用して、前記複数のトレーニングフィールドのトレーニングフィールドを、複数の信号ストリームの信号ストリーム各々にマッピングし、
前記データユニットの前記プリアンブルの第１信号フィールドを生成し、
前記マッピング行列の一列の第１クライアントデバイスに対応する部分を使用して、前記第１信号フィールドを前記第１クライアントデバイスに対応する前記複数の信号ストリームにマッピングし、
第２クライアントデバイスに対応する前記データユニットの前記プリアンブルの第２信号フィールドを生成し、
前記マッピング行列の前記一列の前記第２クライアントデバイスに対応する部分を使用して、前記第２信号フィールドを前記第２クライアントデバイスに対応する前記複数の信号ストリームにマッピングし、
前記複数の信号ストリームを複数の空間ストリームにマッピングし、
前記複数の空間ストリームを介して、少なくとも、ｉ）前記複数のトレーニングフィールド、ｉｉ）前記第１信号フィールド、及び、ｉｉｉ）前記第２信号フィールドを送信させ、
前記マッピング行列の各列の異なる部分は、前記第１クライアントデバイス及び前記第２クライアントデバイスを含む複数の異なるクライアントデバイスに対応している装置。
【請求項１４】
前記第１クライアントデバイスに対応し前記第１信号フィールドを前記複数の信号ストリームにマッピングするのに使用される前記マッピング行列の前記一列の前記部分は、前記マッピング行列の最も左の列の一部分に対応し、
前記第２クライアントデバイスに対応し前記第２信号フィールドを前記複数の信号ストリームにマッピングするのに使用される前記マッピング行列の前記一列の前記部分は、前記マッピング行列の前記最も左の列の別の部分に対応する請求項１３に記載の装置。
【請求項１５】
前記物理層処理ユニットは、
２値畳み込み符号化（ＢＣＣ）を使用して前記第１信号フィールド及び前記第２信号フィールドをそれぞれ符号化するエンコーダと、
前記第１信号フィールド及び前記第２信号フィールドをそれぞれ直交周波数分割多重（ＯＦＤＭ）シンボルのサブキャリアにマッピングするコンスタレーションマッピングユニットと、
ｉ）前記マッピング行列を使用して、前記複数のトレーニングフィールドの前記トレーニングフィールドを、前記複数の信号ストリームの信号ストリーム各々にマッピングし、ｉｉ）前記マッピング行列の前記一列を使用して、前記第１信号フィールド及び前記第２信号フィールドを前記複数の信号ストリームにマッピングする、信号ストリームマッピング部と、
前記複数の信号ストリームを前記複数の空間ストリームにマッピングする空間ストリームマッピング部とを含む請求項１３または１４に記載の装置。
【請求項１６】
前記マルチユーザ物理層データユニットは、高スループット（ＶＨＴ）プロトコルに準拠し、
前記第１信号フィールドは、前記第１クライアントデバイスに対応するＶＨＴＳＩＧＢ信号フィールドであり、
前記第２信号フィールドは、前記第２クライアントデバイスに対応するＶＨＴＳＩＧＢ信号フィールドである、請求項１３から１５のいずれか１項に記載の装置。
【発明の詳細な説明】
【技術分野】
【０００１】
本発明は、概して、通信ネットワークに関し、より詳細には、無線ネットワークにおけるデバイス間での通信デバイス能力に関する。
【０００２】
［優先権情報］
本出願は、２０１０年７月１日出願の米国仮出願61/360,828号の優先権を主張するものであり、前記出願の内容は、参照により本明細書に組み込まれる。
【背景技術】
【０００３】
本発明の理解するための背景を、一般的に説明することを目的として、背景技術を説明する。以下、背景技術の章において説明される範囲及び出願時には従来技術として認められていない側面の範囲において、本願発明者の仕事は、本開示に対して明示的に又は非明示的にも、従来技術であるとは認めていない。
【０００４】
電気電子技術者協会（ＩＥＥＥ）無線通信規格８０２．１１ａ、８０２．１１ｂ、８０２．１１ｇ及び８０２．１１ｎのような無線ローカルエリアネットワーク（ＷＬＡＮ）規格が開発され、シングルユーザ・データピーク・スループットが改善されている。例えば、ＩＥＥＥ８０２．１１ｂ規格では、１１メガバイト／秒（Ｍｂｐｓ）のシングルユーザ・ピークスループットが既定されており、ＩＥＥＥ８０２．１１ａ及び８０２．１１ｇ規格では、５４Ｍｂｐｓのシングルユーザ・ピークスループットが既定されており、ＩＥＥＥ８０２．１１ｎ規格では、６００Ｍｂｐｓのシングルユーザ・ピークスループットが既定されている。新たな規格ＩＥＥＥ８０２．１１ａｃについての作業が開始されており、更に大きなスループットを提供することが期待されている。
【発明の概要】
【０００５】
一実施形態によれば、方法は、マッピング行列を使用して、複数のストリームの信号ストリーム各々に対して、物理層データユニットのプリアンブルの複数のトレーニングフィールド、及び、複数のトレーニングフィールドのマッピングトレーニングフィールドを生成する段階を備える。方法はまた、データユニットのプリアンブルの信号フィールドを生成する段階と、マッピング行列の一列を使用して、信号フィールドを複数の信号ストリームにマッピングする段階を備える。方法は更に、複数の信号ストリームを複数の空間ストリームにマッピングする段階と、複数の空間ストリームを介して、少なくとも、ｉ）複数のトレーニングフィールド、及び、ｉｉ）信号フィールドを送信する段階とを備える。
【０００６】
別の実施形態によれば、物理層処理ユニットを有するネットワークインターフェースを備える装置であって、当該物理層処理ユニットは、物理層データユニットのプリアンブルの複数のトレーニングフィールドを生成し、マッピング行列を使用して、複数のトレーニングフィールドのトレーニングフィールドを、複数のストリームの信号ストリーム各々にマッピングする。物理層処理ユニットはまた、データユニットのプリアンブルの信号フィールドを生成し、マッピング行列の一列を使用して、信号フィールドを複数の信号ストリームにマッピングする。物理層処理ユニットは更に複数の信号ストリームを複数の空間ストリームにマッピングし、複数の空間ストリームを介して、少なくとも、ｉ）複数のトレーニングフィールド、及び、ｉｉ）信号フィールドを送信させる。
【０００７】
別の実施形態では、方法は、マルチユーザ物理層データユニットのプリアンブルの複数のトレーニングフィールドを生成する段階と、マッピング行列を使用して、複数のトレーニングフィールドのトレーニングフィールドを、複数のストリームの信号ストリーム各々にマッピングする段階とを備える。マッピング行列の各列の異なる部分は、第１クライアントデバイス及び第２クライアントデバイスを含む複数の異なるクライアントデバイスに対応している。方法はまた、第１クライアントデバイスに対応する前記データユニットのプリアンブルの第１信号フィールドを生成する段階と、マッピング行列の一列の第１クライアントデバイスに対応する部分を使用して、第１信号フィールドを第１クライアントデバイスに対応する複数の信号ストリームにマッピングする段階を備える。方法は更に、第２クライアントデバイスに対応するデータユニットのプリアンブルの第２信号フィールドを生成する段階と、マッピング行列の一列の第２クライアントデバイスに対応する部分を使用して、第２信号フィールドを第２クライアントデバイスに対応する複数の信号ストリームにマッピングする段階を備える。方法は更に、複数の信号ストリームを複数の空間ストリームにマッピングする段階と、複数の空間ストリームを介して、少なくとも、ｉ）複数のトレーニングフィールド、ｉｉ）第１信号フィールド、及び、ｉｉｉ）第２信号フィールドを送信する段階とを備える。
【０００８】
別の実施形態では、物理層処理ユニットを有するネットワークインターフェースを備える装置であって、物理層処理ユニットは、マルチユーザ物理層データユニットのプリアンブルの複数のトレーニングフィールドを生成し、マッピング行列を使用して、複数のトレーニングフィールドのトレーニングフィールドを、複数のストリームの信号ストリーム各々にマッピングする。マッピング行列の各列の異なる部分は、第１クライアントデバイス及び第２クライアントデバイスを含む複数の異なるクライアントデバイスに対応している。物理層処理ユニットはまた、第１クライアントデバイスに対応するデータユニットのプリアンブルの第１信号フィールドを生成し、マッピング行列の一列の第１クライアントデバイスに対応する部分を使用して、第１信号フィールドを第１クライアントデバイスに対応する複数の信号ストリームにマッピングする。物理層処理ユニットは更に、第２クライアントデバイスに対応するデータユニットのプリアンブルの第２信号フィールドを生成し、マッピング行列の一列の第２クライアントデバイスに対応する部分を使用して、第２信号フィールドを第２クライアントデバイスに対応する前記複数の信号ストリームにマッピングする。物理層処理ユニットは更に、複数の信号ストリームを複数の空間ストリームにマッピングし、複数の空間ストリームを介して、少なくとも、ｉ）複数のトレーニングフィールド、ｉｉ）第１信号フィールド、及び、ｉｉｉ）第２信号フィールドを送信させる。
【０００９】
別の実施形態では、方法は、物理層データユニットのプリアンブルの信号フィールドを生成する段階と、信号フィールドを、直交周波数分割多重（ＯＦＤＭ）シンボルの第１周波数部分に対応する第１の複数のデータサブキャリアにマッピングする段階とを備える。方法はまた、第１の複数のデータサブキャリアにおけるデータサブキャリアのサブセットを、１以上の所定の値に設定する段階を備える。方法は更に、信号フィールドを、ＯＦＤＭシンボルの第２周波数部分に対応する第２の複数のデータサブキャリアにマッピングする段階と、第２の複数のデータサブキャリアにおけるデータサブキャリアのサブセットを、１以上の所定の値に設定する段階とを備える。方法は更に、第１周波数部分及び第２周波数部分におけるガードトーン、直流電流（ＤＣ）トーン及びパイロットトーンを設定する段階と、物理層データユニットのプリアンブルにおけるＯＦＤＭシンボルを含む物理層データユニットを送信する段階とを備える。
【００１０】
別の実施形態では、物理層処理ユニットを有するネットワークインターフェースを備える装置であって、物理層処理ユニットは、物理層データユニットのプリアンブルの信号フィールドを生成し、信号フィールドを、直交周波数分割多重（ＯＦＤＭ）シンボルの第１周波数部分に対応する第１の複数のデータサブキャリアにマッピングする。物理層処理ユニットはまた、第１の複数のデータサブキャリアにおけるデータサブキャリアのサブセットを、１以上の所定の値に設定する。物理層処理ユニットは更に、信号フィールドを、ＯＦＤＭシンボルの第２周波数部分に対応する第２の複数のデータサブキャリアにマッピングし、第２の複数のデータサブキャリアにおけるデータサブキャリアのサブセットを、１以上の所定の値に設定する。物理層処理ユニットは更に、第１周波数部分及び第２周波数部分におけるガードトーン、直流電流（ＤＣ）トーン及びパイロットトーンを設定し、物理層データユニットのプリアンブルにおけるＯＦＤＭシンボルを含む物理層データユニットを送信させる。
【図面の簡単な説明】
【００１１】
【図１】本明細書に記載される様々な信号フィールド変調及びマッピング技術を利用する無線ローカルエリアネットワーク（ＷＬＡＮ）の一実施形態例を示したブロック図である。
【図２】一実施形態に係る、データユニットフォーマットの一例を示したブロック図である。
【図３】一実施形態に係る、ＰＨＹ処理ユニットの一例を示したブロック図である。
【図４】一実施形態に係る、図３のＰＨＹ処理ユニットが生成する４０ＭＨｚ通信チャネルのＯＦＤＭシンボルの一例を示した図である。
【図５】別の実施形態に係る、図３のＰＨＹ処理ユニットが生成する４０ＭＨｚ通信チャネルのＯＦＤＭシンボルの一例を示した図である。
【図６】一実施形態に係る、図３のＰＨＹ処理ユニットが生成する８０ＭＨｚ通信チャネルのＯＦＤＭシンボルの一例を示した図である。
【図７】別の実施形態に係る、図３のＰＨＹ処理ユニットが生成する８０ＭＨｚ通信チャネルのＯＦＤＭシンボルの一例を示した図である。
【図８】一実施形態に係る、ＶＨＴ−ＳＩＧＢのような信号フィールド又はその他の好適なフィールドを有するＰＨＹデータユニットの生成及び送信を行う方法の一例を示したフローチャートである。
【図９】一実施形態に係る、ＶＨＴ−ＳＩＧＢのような信号フィールド又はその他の好適なフィールドを有するＰＨＹデータユニットの生成及び送信を行う方法の別の例を示したフローチャートである。
【図１０】一実施形態に係る、ＶＨＴ−ＳＩＧＢのような信号フィールド又はその他の好適なフィールドを有するマルチユーザＰＨＹデータユニットの生成及び送信を行う方法の別の例を示したフローチャートである。
【発明を実施するための形態】
【００１２】
以下に記載する実施形態において、無線ローカルエリアネットワーク（ＷＬＡＮ）のアクセスポイント（ＡＰ）のような無線ネットワークデバイスは、データストリームを１以上のクライアント局に送信する。ＡＰは、少なくとも第１通信プロトコル（例えば、現在規格化段階にあるＩＥＥＥ８０２．１１ａｃ規格）に従って、クライアント局と動作するように構成されている。そして、ＡＰの近傍の異なるクライアント局は、第２通信プロトコル（例えば、ＩＥＥＥ８０２．１１ｎ規格、ＩＥＥＥ８０２．１１ａ規格、ＩＥＥＥ８０２．１１ｇ規格等）に従って動作するように構成されてもよい。第１通信プロトコルは、本明細書では、高スループット（very high throughput：ＶＨＴ）プロトコルと称され、第２通信プロトコルは、ここでは、レガシープロトコルと称される。一実施形態において、通信プロトコル（すなわち、レガシープロトコル及びＶＨＴプロトコル）はそれぞれ、１以上の送信可能チャネル帯域幅を既定する。したがって、一実施形態によれば、ＡＰによって送受信されるデータユニットは、レガシープロトコルで既定される帯域幅に対応するレガシー部分（例えば、８０２．１１ａプロトコルで既定される２０ＭＨｚ帯域幅）、及び、ＶＨＴプロトコルで既定される同じ又は異なるチャネル帯域幅に対応するＶＨＴ部分（例えば、ＶＨＴプロトコルで既定される８０ＭＨｚ帯域幅）を含む。一実施形態において、データユニットのＶＨＴ部分は、ＡＰ近傍の１以上のユーザに情報を搬送するＶＨＴデータ部分を含む。
【００１３】
一実施形態によれば、データユニットのプリアンブルは、データユニットを正しく特定及びデコードするために受信機において必要とされる情報を搬送する複数の信号フィールドを含む。ある実施形態では、例えば、プリアンブルに２つの信号フィールドが含まれる。第１信号フィールドは、プリアンブルのレガシー部分に含まれてデータユニットのレガシー部分と同様な態様で変調される。第２信号フィールドは、プリアンブルのＶＨＴ部分に含まれて、データユニットのＶＨＴデータ部分と同様な態様で変調される。このような一実施形態において、第２信号フィールドは、データユニットのＶＨＴデータ部分と同様な態様であるが、ＶＨＴデータ部分よりも低い符号化率及び小さなコンスタレーションサイズを使用して変調が行われる。更に、ある実施形態では、データユニットが占有する特定のチャネル帯域に関係なく、第２信号フィールドのビット割り当ては、同じである。例えば、一実施形態において、ビット割り当ては、ＶＨＴプロトコルによって既定される最小の帯域幅（例えば、２０ＭＨｚ帯域幅）に対して既定され、高ＶＨＴ帯域幅で第２信号フィールドを送信するのに、ビット挿入及び／又は複製が利用される。更に、一実施形態において、データユニットのＶＨＴデータ部分は、シングルユーザ（ＳＵ）又はマルチユーザ（ＭＵ）に宛てられた複数の空間データストリームを含み、第２信号フィールドは、１つのデータストリームに限定される。これらの実施形態において、第２信号フィールドの１つのストリームは、ある態様で、データユニットのデータ部分に対応する複数の空間ストリーム及び／又は複数のユーザにマッピングされる。
【００１４】
図１は、本明細書に記載される様々な信号フィールド変調及びマッピング技術を利用する無線ローカルエリアネットワーク（ＷＬＡＮ）１０の一実施形態例を示したブロック図である。ＡＰ１４は、ネットワークインターフェース１６に接続されるホストプロセッサ１５を含む。ネットワークインターフェース１６は、媒体アクセス制御（ＭＡＣ）処理ユニット１８及び物理層（ＰＨＹ）処理ユニット２０を含む。ＰＨＹ処理ユニット２０は、複数の送受信機２１を含み、複数の送受信機は、複数のアンテナ２４に接続されている。図１には、３つの送受信機２１及び３つのアンテナ２４が示されているが、別の実施形態では、ＡＰ１４は、異なる数（例えば、１、２、３、４、５等）の送受信機２１及びアンテナ２４を含むことができる。一実施形態において、ＭＡＣ処理ユニット１８及びＰＨＹ処理ユニット２０は、第１通信プロトコル（例えば、現在、規格化が進められているＩＥＥＥ８０２．１１ａｃ規格）に従って動作するように構成されている。第１通信プロトコルは、本明細書では、高スループット（ＶＨＴ）プロトコルとも称される。別の実施形態では、ＭＡＣ処理ユニット１８及びＰＨＹ処理ユニット２０は、少なくとも第２通信プロトコル（例えば、ＩＥＥＥ８０２．１１ｎ規格、ＩＥＥＥ８０２．１１ａ規格等）に従って動作するように構成されている。
【００１５】
ＷＬＡＮ１０は、複数のクライアント局２５を含む。図１には、４つのクライアント局２５が示されているが、様々なシナリオ及び実施形態においては、ＷＬＡＮ１０は、異なる数（例えば、１、２、３、５、６等）のクライアント局２５を含むことができる。クライアント局２５のうちの少なくとも１つ（例えば、クライアント局２５−１）は、第１通信プロトコルに少なくとも従って動作するよう構成される。
【００１６】
クライアント局２５−１は、ネットワークインターフェース２７に接続されたホストプロセッサ２６を含む。ネットワークインターフェース２７は、ＭＡＣ処理ユニット２８及びＰＨＹ処理ユニット２９を含む。ＰＨＹ処理ユニット２９は、複数の送受信機３０を含み、複数の送受信機３０は、複数のアンテナ３４に接続されている。図１には、３つの送受信機３０及び３つのアンテナ３４が示されているが、別の実施形態では、クライアント局２５−１は、異なる数（例えば、１、２、４、５等）の送受信機３０及びアンテナ３４を含むことができる。
【００１７】
一実施形態において、クライアント局２５−２、２５−３及び２５−４のうちの１つ又は全てが、クライアント局２５−１と同一の又は同様な構造を有する。これらの実施形態において、クライアント局２５−１と同一の又は同様な構造を有するクライアント局２５は、同じ数の又は異なる数の送受信機及びアンテナを有する。例えば、一実施形態において、クライアント局２５−２は、送受信機及びアンテナをそれぞれ２つのみ有する。
【００１８】
様々な実施形態において、ＡＰ１４のＰＨＹ処理ユニット２０は、第１通信プロトコルに準拠するデータユニットを生成する。一の又は複数の送受信機２１は、生成されたデータを、一の又は複数のアンテナ２４を介して送信する。同様に、一の又は複数の送受信機２１は、生成されたデータを、一の又は複数のアンテナ２４を介して受信する。一実施形態において、ＡＰ１４のＰＨＹ処理ユニット２０は、第１通信プロトコルに準拠する受信されたデータユニットの処理を行う。
【００１９】
様々な実施形態において、クライアントデバイス２５−１のＰＨＹ処理ユニット２９は、第１通信プロトコルに準拠するデータユニットを生成する。一の又は複数の送受信機３０は、生成されたデータを、一の又は複数のアンテナ３４を介して送信する。同様に、一の又は複数の送受信機３０は、生成されたデータを、一の又は複数のアンテナ３４を介して受信する。一実施形態において、クライアントデバイス２５−１のＰＨＹ処理ユニット２９は、第１通信プロトコルに準拠する受信されたデータユニットの処理を行う。
【００２０】
図２には、一実施形態に係る、ＡＰ１４がクライアント局２５−１に送信するデータユニット２５０が示されている。一実施形態において、クライアント局２５−１はまた、データユニット２５０をＡＰ１４に送信するように構成される。データユニット２５０は、ＶＨＴプロトコルに準拠し、８０ＭＨｚ帯域を占める。その他の実施形態では、データユニット２５０と同様なデータユニットは、２０ＭＨｚ、４０ＭＨｚ、１２０ＭＨｚ、１６０ＭＨｚ又はその他の好適な帯域幅のような異なる帯域幅を占める。更に、帯域幅は、周波数が連続している必要はなく、周波数が分離した２つ以上の帯域幅を含んでもよい。例えば、一実施形態において、データユニット２５０は、条件及びデバイスが１６０ＭＨｚチャネルをサポートする場合には、好適な最低限のバンド幅で分離される不連続な２つの８０ＭＨｚ帯域によって構成される１６０ＭＨｚを占めてもよい。データユニット２５０は、４つのレガシーショートトレーニングフィールド（Ｌ−ＳＴＦ）２５２、４つのレガシーロングトレーニングフィールド（Ｌ−ＬＴＦ）２５４、４つのレガシー信号フィールド（Ｌ−ＳＩＧ）２５６、４つの第１高スループット信号フィールド（ＶＨＴ−ＳＩＧＡ）２５８、高スループットショートトレーニングフィールド（ＶＨＴ−ＳＴＦ）２６２、Ｎ個の高スループットロングトレーニングフィールド（ＶＨＴ−ＬＴＦ）２６４、及び、１つの第２高スループット信号フィールド（ＶＨＴ−ＳＩＧＢ）２６８を含み、ここで、Ｎは整数である。データユニット２５０は、データ部分２７２を含む。Ｌ−ＳＴＦ２５２、Ｌ−ＬＴＦ２５４及びＬ−ＳＩＧ２５６は、レガシー部分を構成している。ＶＨＴ−ＳＴＦ２６２、ＶＨＴ−ＳＩＧＡ２５８、ＶＨＴ−ＬＴＦ２６４、ＶＨＴ−ＳＩＧＢ２６８及びデータ部分２６６は、高スループット（ＶＨＴ）部分を構成している。
【００２１】
図２の実施形態において、Ｌ−ＳＴＦ２５２の各々、Ｌ−ＬＴＦ２５４の各々、Ｌ−ＳＩＧ２５６の各々、及び、ＶＨＴ−ＳＩＧＡ２５８の各々は、２０ＭＨｚ帯域を占める。本開示では、データユニット２５０を含み８０ＭＨｚの連続した帯域幅を有するデータユニットの例が、フレームフォーマットの実施形態を例示する目的で説明されるが、このようなフレームフォーマットの実施形態及びその他の実施形態は、その他の好適な帯域幅（不連続な帯域幅を含む）に適用可能である。例えば、図２のプリアンブルは、Ｌ−ＳＴＦ２５２、Ｌ−ＬＴＦ２５４、Ｌ−ＳＩＧ２５６及びＶＨＴ−ＳＩＧＡ２５８をそれぞれ４つずつ含むが、直交周波数分割多重（ＯＦＤＭ）データユニットが、８０ＭＨｚ以外の累積する帯域幅、例えば、２０ＭＨｚ、４０ＭＨｚ、１２０ＭＨｚ、１６０ＭＨｚ等を占める別の実施形態では、異なる数のＬ−ＳＴＦ２５２、Ｌ−ＬＴＦ２５４、Ｌ−ＳＩＧ２５６及びＶＨＴ−ＳＩＧＡ２５８を使用してもよい。（例えば、２０ＭＨｚを占めるＯＦＤＭデータユニットの場合、Ｌ−ＳＴＦ２５２、Ｌ−ＬＴＦ２５４、Ｌ−ＳＩＧ２５６及びＶＨＴ−ＳＩＧＡ２５８をそれぞれ１つずつ含む、４０ＭＨｚ帯域幅ＯＦＤＭデータユニットの場合、各フィールドを２つずつ含む、１２０ＭＨｚ帯域幅ＯＦＤＭデータユニットの場合、各フィールドを６つずつ含む、及び、１６０ＭＨｚ帯域幅ＯＦＤＭデータユニットの場合、各フィールドを８つずつ含む。）例えば、ある実施形態及び条件下では、１６０ＭＨｚ帯域幅ＯＦＤＭデータユニットでは、帯域幅は周波数で連続していない。このように、例えば、Ｌ−ＳＴＦ２５２、Ｌ−ＬＴＦ２５４、Ｌ−ＳＩＧ２５６及びＶＨＴ−ＳＩＧＡ２５８は、周波数において互いに分離された２つ以上の帯域を占めてもよく、ある実施形態では、隣接する帯域は、例えば、少なくとも１ＭＨｚ、少なくとも５ＭＨｚ、少なくとも１０ＭＨｚ、少なくとも２０ＭＨｚの帯域で分離される。図２の実施形態では、ＶＨＴ−ＳＴＦ２６２、ＶＨＴ−ＬＴＦ２６４、ＶＨＴ−ＳＩＧＢ２６８及びデータ部分２６６の各々は、８０ＭＨｚ帯域を占める。第１通信プロトコルに準拠するデータユニットが、２０ＭＨｚ、４０ＭＨｚ、１２０ＭＨｚ又は１６０ＭＨｚＯＦＤＭのような累積帯域幅を占めるＯＦＤＭデータユニットである場合、一実施形態では、ＶＨＴ−ＳＴＦ、ＶＨＴ−ＬＴＦ、ＶＨＴ−ＳＩＧＢ及びＶＨＴデータ部分は、データユニットの対応する全帯域幅を占める。
【００２２】
更に、データユニット２５０を生成するデバイスが複数のアンテナを含み、ビーム形成又はビームステアリングを送信可能である図２の実施形態では、ＶＨＴ−ＳＩＧＡ２５８は、データユニット２５０のステアリングされていない部分（又は、"全方向（omnidirectional）"又は"疑似全方向（pseudo-omnidirectional）"部分；本明細書では、"ステアリングされていない（unsteered）"及び"全方向"という言葉は、"疑似全方向"という言葉を内包することを意図して使用されている）に含まれ、図１のクライアント局２５の各々に共通のＰＨＹ情報を含む。一方、ＶＨＴ−ＳＩＧＢ２６８は、"ステアリングされた"部分に含まれる。データユニット２５０が、マルチユーザ送信である（例えば、データユニット２５０が、対応する異なる複数の受信デバイスに対して独立した複数のデータストリームを含む）実施形態では、ステアリングされた部分は、複数の異なるクライアント２５に対する異なるデータを含み、これらデータは、図１のアンテナ２４を介して、異なる空間チャネル上で同時に送信されて、異なる（又は"ユーザ固有の"）コンテンツをクライアント局２５の各々に搬送する。このような実施形態では、ＶＨＴ−ＳＩＧＡ２５８は、全てのユーザに共通の情報を搬送し、ＶＨＴ−ＳＩＧＢ２６８は、ユーザ固有の情報を含む。一方、データユニット２５０がシングルユーザ送信である実施形態では、ステアリングされる部分が、アンテナ２４を介してクライアント２５に送信及びビームステアリングされる特定のクライアント２５のデータを含む。
【００２３】
一実施形態において、ＶＨＴ−ＳＩＧＡ２５８の各々は、レガシーＬ−ＳＩＧフィールド２５６と同様な態様で変調される２つのＯＦＤＭシンボルを含む。一方、ある実施形態及び／又は以下に説明するシナリオでは、ＶＨＴ−ＳＩＧＢフィールド２６８は、ＶＨＴデータ部分２７２と同様な態様で変調される１つのＯＦＤＭシンボルを含む。
【００２４】
図３は、一実施形態に係る、データユニット２５０（図２）のＶＨＴ−ＳＩＧＢ２６８に対応するＯＦＤＭシンボルを生成するように構成されたＰＨＹ処理ユニット３００の一例を示したブロック図である。図１に示したように、一実施形態において、ＡＰ１４及びクライアント局２５−１はそれぞれ、ＰＨＹ処理ユニット３００のようなＰＨＹ処理ユニットを含む。
【００２５】
一実施形態において、ＰＨＹユニット３００は、対応する符号化されたストリーム生成するべく、入力データストリームをエンコードする前方誤り訂正（ＦＥＣ）エンコーダ３０２を含む。一実施形態では、ＦＥＣエンコーダは、符号化率が１／２である２値畳み込み符号化（ＢＣＣ）を利用する。その他の実施形態では、ＦＥＣエンコーダは、その他の好適な種類の符号化及び／又はその他の好適な符号化率を利用する。ＦＥＣエンコーダ３０２は、隣接するノイズの多いビットの長いシーケンスが受信機のデコーダに入力されるのを防ぐべく、エンコードされたストリームのビットをインターリーブする（すなわち、ビットの順番を変更する）周波数インターリーバ３０４に接続される。
【００２６】
コンスタレーションマッピング部（constellation mapper）３０６は、インターリーブされたビットを、ＯＦＤＭシンボルの複数の異なるサブキャリアにそれぞれ対応するようにコンスタレーションポイントをマップする。より詳細には、コンスタレーションマッピング部３０６は、ｌｏｇ２（Ｍ）毎に、Ｍ個のコンスタレーションポイントのうちの一つに変換する。一実施形態において、コンスタレーションマッピング部３０６は、二位相変移変調（binary phase shift keying：ＢＰＳＫ）方式に従って動作する。別の実施形態では、その他の好適な変調方式が使用される。コンスタレーションマッピング部３０６は、様々な実施形態及び／又はシナリオにおいて、以下に記載する様々な複製及び挿入技術を実装するトーン複製及び挿入ユニット３０８に接続される。
【００２７】
一実施形態では、トーン複製及び挿入ユニット３０８の出力は、ストリームマッピングユニット３１２に提示される。一実施形態において、ストリームマッピングユニット３１２は、複数のコンスタレーションポイントを、多数の空間−時間ストリームに分散させる。パイロット生成ユニット３１０は、例えば、受信機における周波数オフセット見積もりのために使用されるパイロットトーンを生成し、このパイロットトーンを、ストリームマッピングユニット３１２の空間−時間出力におけるシンボルＯＦＤＭトーンに挿入する。複数の周期的シフトダイバーシチ（cyclic shift diversity：ＣＳＤ）ユニット３１４は、意図しないビーム形成が行われることを回避するべく、１つを除いて全ての空間−時間ストリームに周期的シフトを挿入する。
【００２８】
空間マッピングユニット３１６は、空間−時間ストリームをマッピングして、１以上の利用可能な送信アンテナに対応するチェーンを送信する。様々な実施形態において、空間マッピングは、１）空間−時間ストリーム各々からのコンスタレーションポイントが直接送信チェーンにマッピングされる（すなわち、一対一のマッピング）ダイレクトマッピング、２）全ての空間−時間ストリームからのコンスタレーションポイントのベクトルが行列の乗算によって拡張されて、送信チェーンへの入力が生成される空間拡張、３）全ての空間−時間ストリームからのコンスタレーションポイントのベクトルそれぞれが、ステアリングベクトルの行列と乗算されて、送信チェーンへの入力が生成されるビーム形成、のうちの１以上を含む。
【００２９】
一実施形態において、空間マッピングユニット３１６は、ステアリング行列Ｑを適用する（例えば、ＮＳＴＳ×１の信号ベクトルをＱで乗算する、すなわちＱｓ）、ここで、Ｑは、（ＮＴＸ×ＮＳＴＳ）のサイズを有し、ＮＴＸは送信チェーンの数及びＮＳＴＳは空間−時間ストリームの数である。ビーム形成が利用される場合、行列Ｑは、送信機と受信機の間の複数入力複数出力（ＭＩＭＯ）チャネルに基づいて生成される。一実施形態において、ＮＴＸは、最大値８を有する。別の実施形態では、ＮＴＸは、最大値１６を有する。他の実施形態では、ＮＴＸは、４、３２、６４といったように、異なる最大値を有する。
【００３０】
空間マッピングユニット３１６の出力はそれぞれ送信チェーンに対応しており、空間マッピングユニット３１６の出力はそれぞれ、コンスタレーションポイントのブロックを時間ドメインの信号へと変換する離散逆フーリエ変換（ＩＤＦＴ）ユニット３１８によって演算される。一実施形態において、ＩＤＦＴユニット３１８は、高速逆フーリエ変換（ＩＦＦＴ）アルゴリズムを実装するように構成される。時間ドメイン信号はそれぞれ、送信のために送信アンテナに供給される。
【００３１】
一実施形態において、ＯＦＤＭシンボルのサブキャリア（又はトーン）の数は、通常、使用されるチャネルの帯域幅（ＢＷ）に依存する。例えば、一実施形態では、２０ＭＨｚチャネルのＯＦＤＭシンボルは、サイズ６４ＩＤＦＴに対応し６４トーンを含む。また、４０ＭＨｚチャネルのＯＦＤＭシンボルは、サイズ１２８ＩＤＦＴに対応し１２８トーンを含む。一実施形態において、ＯＦＤＭシンボルにおけるトーンは、ランプアップ及びランプダウンをフィルタするガードトーン、無線周波数干渉を低減させるＤＣトーン、及び、周波数オフセット見積もりのためのパイロットトーンを含む。一実施形態において、残りのトーンは、データ又は情報ビット（"データトーン"）を送信するのに使用される。第１通信プロトコルに準拠したデータユニットを生成するように構成されたＰＨＹ処理ユニットの一例の送信機フロー、及び、本開示の幾つかの実施形態対応するデータユニットで利用される送信チャネル及びトーンマッピングの様々な例が、２０１０年７月２９日出願の米国特許出願第12/846,681号明細書"Methods and Apparatus for WLAN Transmission（ＷＬＡＮ送信の方法及び装置）"に記載されており、その内容は参照により本明細書に組み込まれる。
【００３２】
図２示すように、一実施形態において、生成される特定のデータユニットによって占有されるチャネル帯域幅に関係なく、データユニット２５０のＶＨＴ−ＳＩＧＢフィールド２６８に対するビット割り当ては同じになる。ある実施形態では、データユニット２５０のデータ部分に対して生成されるシンボルとして、ＶＨＴ−ＳＩＧＢ２６８に対して生成されるＯＦＤＭシンボルにおいて、同じ数のガードトーン、ＤＣトーン及びパイロットトーンが使用される。このような一実施形態では、ガードトーン、ＤＣトーン及びパイロットトーンは、データ部分２７２に対して生成されるＯＦＤＭシンボルとして、ＶＨＴ−ＳＩＧＢフィールド２６８に対して生成されるＯＦＤＭシンボル内の同じ周波数トーンである。
【００３３】
一実施形態において、ＶＨＴ−ＳＩＧＢフィールド２６８ビット割り当ては、対応する数のデータトーンを有する２０ＭＨｚＯＦＤＭシンボルに対応し、より大きな帯域幅（例えば、４０ＭＨｚ、８０ＭＨｚ等）に対応するデータユニットに対しても同じビット割り当てが利用される。このような一実施形態において、例えば、ＶＨＴ−ＳＩＧＢフィールドには２６ビットが割り当てられ、情報ビットには２０ビットが、そして、テイルビットには６ビットが割り当てられる。ＶＨＴ−ＳＩＧＢフィールド２６８が、１／２符号化率でＢＣＣエンコーダで符号化される一実施形態では、２６ビットが、２０ＭＨｚチャネルで利用可能な５２データトーンに対応する５２データビットに符号化される。別の実施形態では、ＶＨＴ−ＳＩＧＢフィールド２６８について、その他の好適なビット割り当て及びその他の好適な符号化及び変調方式が使用される。対応する多数のデータトーンを有するより大きい帯域幅のチャネルに対して同じ数のビットが割り当てられる様々な実施形態及び／又はシナリオにおいて、残りの利用可能なデータトーンを満たすのに、本明細書に記載されるトーン複製及び挿入技術が利用される。
【００３４】
図４は、一実施形態に係る、４０ＭＨｚチャネルの場合のデータユニットのＶＨＴ−ＳＩＧＢフィールド（例えば、図２のＶＨＴ−ＳＩＧＢフィールド２６８）に対して生成されるＯＦＤＭシンボル４００のブロック図である。ＯＦＤＭシンボル４００は、サイズ１２８ＩＤＦＴに対応し、１２８トーンを含む。一実施形態において、１２８トーンのスロットには、−６４から＋６３までの番号が付される。１２８トーンは、ガードトーン、直流電圧（ＤＣ）トーン、データトーン及びパイロットトーンを含む。周波数が最も低い方から６番目までのトーン及び周波数の最も高い方から５番目までのトーンが、ガードトーンである。−１から＋１までの番号が付された３つのトーンがＤＣトーンである。一実施形態において、ＯＦＤＭシンボル４００は更に、６個のパイロットトーン及び１０８個のデータトーンを含む。図４に示すように、１０８個のデータトーンは、２つの挿入されたトーンを有するＶＨＴ−ＳＩＧＢビットに対応する５２トーンを含み、残りの５４トーンは、ＯＦＤＭシンボルの残りのトーンを満たすべく、もう一度複製される。ＯＦＤＭシンボル４００では、２つの挿入されたトーンは、低い方のチャネルサイドバンドにおける最も低いデータ／パイロット周波数トーンスロット、及び、高い方のチャネルサイドバンドにおける最も低い２つのデータ／パイロット周波数トーンスロットを占める。
【００３５】
図５は、別の実施形態に係る、４０ＭＨｚチャネルの場合のデータユニットのＶＨＴ−ＳＩＧＢフィールド（例えば、図２のＶＨＴ−ＳＩＧＢフィールド２６８）に対して生成されるＯＦＤＭシンボル５００のブロック図である。ＯＦＤＭシンボル５００は、ＯＦＤＭシンボル５００における挿入トーンが、低い方のチャネルサイドバンドにおける２つの最も低いデータ／パイロット周波数トーンスロット及び高い方のチャネルサイドバンドにおける２つの最も高いデータ／パイロット周波数トーンスロットを占める点を除いて、ＯＦＤＭシンボル４００と同様な構成を有する。
【００３６】
別の実施形態において、２つの挿入トーンは、ＯＦＤＭシンボル４００又はＯＦＤＭシンボル５００において、その他の好適なデータ／パイロット周波数トーンスロットを占める。
【００３７】
図６は、一実施形態に係る、８０ＭＨｚチャネルの場合のデータユニットのＶＨＴ−ＳＩＧＢフィールド（例えば、図２のＶＨＴ−ＳＩＧＢフィールド２６８）に対して生成されるＯＦＤＭシンボル６００のブロック図である。ＯＦＤＭシンボル６００は、サイズ２５６ＩＤＦＴに対応し、２５６トーンを含む。一実施形態において、２５６トーンのスロットには、−１２８から＋１２７までの番号が付される。２５６トーンは、ガードトーン、ＤＣトーン、データトーン及びパイロットトーンを含む。周波数が最も低い方から６番目までのトーン及び周波数の最も高い方から５番目までのトーンが、ガードトーンである。−１から＋１までの番号が付された３つのトーンがＤＣトーンである。ＯＦＤＭシンボル３５０は、８個のパイロットトーン及び２３４個のデータトーンを含む。２３４個のデータトーンは、ＶＨＴ−ＳＩＧＢ情報ビットに対応する５２個のトーン、ＶＨＴ−ＳＩＧＢ情報ビットの複製である５２ビット及び１３個の挿入トーンを含み、残りの１１７トーンについてはこれらが複製される。ＯＦＤＭシンボル６００では、１３個の挿入されるトーンは、低い方のチャネルサイドバンドにおける最も低い周波数の複数のパイロット／データトーンスロット、及び、高い方のチャネルサイドバンドにおける最も低い周波数の複数のパイロット／データトーンスロットを占める。
【００３８】
図７は、一実施形態に係る、８０ＭＨｚチャネルの場合のデータユニットのＶＨＴ−ＳＩＧＢフィールド（例えば、図２のＶＨＴ−ＳＩＧＢフィールド２６８）に対して生成されるＯＦＤＭシンボル７００のブロック図である。ＯＦＤＭシンボル７００は、ＯＦＤＭシンボル７００における挿入トーンが、低い方のチャネルサイドバンドにおける１３個の最も低い周波数データ／パイロットトーンスロット及び高い方のチャネルサイドバンドにおける複数の最も高い周波数データ／パイロットトーンスロットを占める点を除いて、ＯＦＤＭシンボル６００と同様な構成を有する。
【００３９】
別の実施形態において、１３個の挿入トーンは、ＯＦＤＭシンボル６００又はＯＦＤＭシンボル７００において、その他の好適なデータ／パイロットトーンスロットを占める。
【００４０】
一実施形態又はある状況においては、シンボル４００中の挿入トーン、シンボル５００中の挿入トーン、シンボル６００中の挿入トーン及び／又はシンボル７００中の挿入トーンは、ＶＨＴ−ＳＩＧＢ情報ビット及び／又はＶＨＴ−ＳＩＧＡ情報ビットのうちの幾つかの値を搬送する。同様に、別の実施形態及び／又は状況では、シンボル４００中の挿入トーン、シンボル５００中の挿入トーン、シンボル６００中の挿入トーン及び／又はシンボル７００中の挿入トーンは、ＬＳＩＧ情報ビットのうちの幾つかの値を搬送する。これに替えて、その他の実施形態及び／又は状況では、シンボル４００中の挿入トーン、シンボル５００中の挿入トーン、シンボル６００中の挿入トーン及び／又はシンボル７００中の挿入トーンは、ヌル（０）トーンである。このような実施形態では、挿入トーンを送信するのに更なる送信電力を使用する必要がないという利点を有する（すなわち、ＶＨＴ−ＳＩＧＢ情報及びテイルビットのために、送信電力の全てが使用される）。他の実施形態及び／又はシナリオでは、シンボル４００中の挿入トーン、シンボル５００中の挿入トーン、シンボル６００中の挿入トーン、シンボル７００中の挿入トーンは、その他の好適な値で変調される。
【００４１】
別の実施形態及び／又はシナリオでは、シンボル４００中の挿入トーン、シンボル５００中の挿入トーン、シンボル６００中の挿入トーン及び／又はシンボル７００中の挿入トーンは、その他の好適な値で変調される。
【００４２】
一実施形態において、図１のクライアント局２５−１は、デコード及び復調プロセスの間に、受信したデータユニットのＶＨＴ−ＳＩＧＢフィールドにおける挿入トーンを破棄する。これに替えて、挿入されたトーンが、信号フィード（例えば、ＶＨＴ−ＳＩＧＡ、ＶＨＴ−ＳＩＧＢ、Ｌ−ＳＩＧ）のある情報ビットに対応する値である場合には、一実施形態において、受信機は、挿入されたトーンを単純に破棄するのではなく、デコード及び復調プロセスの間に提供された更なるダイバーシチを利用する。
【００４３】
図２に示すように、データ部分２７２が複数の空間ストリームを含む実施形態では、ＶＨＴ−ＳＩＧＢフィールド２６８が、複数のストリームにマッピングされる。このような実施形態では、複数の空間ストリームに対応するトレーニングシーケンスを含むＶＨＴ−ＳＴＦフィールド２６４は、行列Ｐを介して複数の空間ストリームへとマッピングされる。ある実施形態及び／又はシナリオでは、同じ行列Ｐを使用して、ＶＨＴ−ＳＩＧＢフィールド２６８の１つのデータストリームを、ＶＨＴ−データ部分２７２における複数の空間ストリームに対応する複数のデータストリームにマッピングする。より詳細には、一実施形態において、ＶＨＴ−ＬＴＦトレーニングフィールド２６４は、以下の式（１）に従って、対応する空間ストリームにマッピングされる。
【数１】
0005850509.tif 000002
ここで、Ｑ（ｋ）は、ＶＨＴ−ＬＴＦトレーニングフィールドのｋ番目のトーンの空間マッピングに対応し、Ｄ（ｋ）は、ｋ番目のトーンのＣＳＤ位相シフトに対応し、Ｐ＊１，・・・Ｐ＊ＮＬＴＦは、マッピング行列Ｐの列であり、Ｓ（ｋ）は、ＶＨＴ−ＬＴＦトレーニングシンボルのｋ番目のトーンである。
【００４４】
一実施形態において、図２に示すように、ＶＨＴ−ＳＩＧＢフィールド２６８は、式１の列Ｐ＊１，・・・，Ｐ＊ＮＬＴＦのうちの１つを使用して、データユニット２５０の複数の空間ストリームにマッピングされる。例えば、一実施形態では、Ｐ行列の第１列を使用して、ＶＨＴ−ＳＩＧＢフィールド２６８をマッピングする。
【数２】
0005850509.tif 000003
ここで、ＳＶＨＴＳＩＧＢ＿Ｕ１（ｋ）は、ＶＨＴ−ＳＩＧＢシンボルのｋ番目のトーンである。他の実施形態及び／又はシナリオでは、Ｐ行列の異なる列を使用して、ＶＨＴ−ＳＩＧＢフィールド２６８をマッピングする。
【００４５】
ある実施形態では、データユニット２５０は、マルチユーザ（ＭＵ）データユニットである、すなわち、データユニット２５０は、２以上のユーザ（例えば、図１のクライアント局２５のうちの２以上）についてのユーザ固有情報を含む。例えば、一実施形態において、データユニット２５０は、２人のユーザについてのユーザ固有情報を含む（すなわち、データユニット２５０は、"２ユーザ"データユニットである）。他の実施形態及び／又はシナリオにおいて、データユニット２５０は、異なる数（例えば、３ユーザ、４ユーザ、５ユーザ等）のユーザのデータを含む。このような実施形態において、ＶＨＴ−ＬＴＦフィールド２６４の数は、データユニットの宛先受信者（ユーザ）の全てについての空間ストリームの総計に直接関係している。そして、１つの"大きな（giant）"マッピング行列Ｐを使用して、全てのユーザ及び全ての空間ストリームについてのトレーニング情報トーンを一緒にマッピングする。例えば、データユニット２５０が、２ユーザデータユニットである場合、一実施形態において、ＶＨＴ−ＬＴＦフィールド２６８は、式３に従ってマッピングされる。
【数３】
0005850509.tif 000004
ここで、ＱＵ１（ｋ）は、ユーザ１のＶＨＴ−ＬＴＦトレーニングフィールドのｋ番目のトーンの空間マッピングに対応し、ＱＵ２（ｋ）は、ユーザ２のＶＨＴ−ＬＴＦトレーニングフィールドのｋ番目のトーンの空間マッピングに対応し、ＤＵ１（ｋ）は、ユーザ１に対するｋ番目のトーンの周期シフトダイバーシチ（ＣＳＤ）位相シフトに対応し、ＤＵ２（ｋ）は、ユーザ２に対するｋ番目のトーンの周期的シフトダイバーシチ（ＣＳＤ）位相シフトに対応し、Ｐ（Ｕ１）＿＊１，・・・，Ｐ（Ｕ１）＿＊ＮＬＴＦは、ユーザ１に対するマッピング行列Ｐの列であり、Ｐ（Ｕ２）＿＊１，・・・，Ｐ（Ｕ２）＿＊ＮＬＴＦは、ユーザ２に対するマッピング行列Ｐの列であり、Ｓ（ｋ）は、ＶＨＴ−ＬＴＦトレーニングシンボルのｋ番目のトーンである。
【００４６】
図２に示すように、データユニット２５０が２ユーザデータユニットである一実施形態では、ＶＨＴ−ＳＩＧＢフィールド２６８は、２人のユーザに向かってステアリングされる（ユーザがそれぞれ、互いに干渉しないと仮定する）。この場合、ＶＨＴ−ＳＩＧＢフィールド２６８の１つのストリームは、式３の任意の列Ｐ（Ｕ１）＿＊１・・・，Ｐ（Ｕ１）＿＊ＮＬＴＦ又はＰ（Ｕ２）＿＊１，・・・，Ｐ（Ｕ２）＿＊ＮＬＴＦを使用して、複数の空間ストリーム及び複数のユーザにマッピングされる。例えば、一実施形態では、結合Ｐ行列の第１列を使用して、式４に従って、ユーザ１に対するＶＨＴ−ＳＩＧＢフィールド２６８をマッピングする。
【数４】
0005850509.tif 000005
ここで、ＳＶＨＴＳＩＧＢ＿Ｕ１(ｋ)は、ユーザ１に対するＶＨＴ−ＳＩＧＢシンボルのｋ番目のトーンである。他の実施形態では、結合Ｐ行列の別の列を使用して、ＶＨＴ−ＳＩＧＢフィールド２６８を複数のデータストリームを介して目的のユーザにステアリングする。
【００４７】
図８は、一実施形態に係る、ＶＨＴ−ＳＩＧＢのような信号フィールド又はその他の好適なフィールドを有するＰＨＹデータユニットの生成及び送信を行う方法８００の一例を示したフローチャートである。方法８００は、ＰＨＹ処理ユニット２０（図１）、ＰＨＹ処理ユニット２９（図１）及び／又はＰＨＹ処理ユニット３００（図３）のようなＰＨＹ処理ユニットによって少なくとも部分的に実装され、図８は、説明を簡略にするために、図３を参照して説明される。しかしながら、他の実施形態では、その他の好適なＰＨＹ処理ユニット及び／又はネットワークインターフェースにより、方法８００が実装される。
【００４８】
ブロック８０４において、ＰＨＹデータユニットのプリアンブルの信号フィールドが生成される。一実施形態において、ＶＨＴ−ＳＩＧＢフィールドが生成される。別の実施形態では、その他の好適な信号フィールドが生成される。
【００４９】
ブロック８０８では、ブロック８０４において生成された信号フィールドが、ＯＦＤＭシンボルの第１周波数部分に対応する第１の複数のデータサブキャリアにマッピングされる。例えば、ＢＰＳＫコンスタレーションマッピングブロック３０６は、信号フィールドを、ＯＦＤＭシンボルの第１周波数部分に対応する第１の複数のデータサブキャリアにマッピングする。別の実施形態では、ネットワークインターフェースの別の好適な処理ブロックにより、ブロック８０８が実装される。
【００５０】
ブロック８１２では、第１の複数のデータサブキャリアにおけるデータサブキャリアの一セットが、所定の値に設定される。例えば、一実施形態において、前記サブキャリアのセットにおけるサブキャリアの少なくとも一部は、値"＋１"又はその他の好適な値に設定される。一実施形態において、別の例では、サブキャリアのセットにおけるサブキャリアの少なくとも一部は、値"−１"又はその他の好適な値に設定される。一実施形態では、別の例として、サブキャリアのセットにおけるサブキャリアの少なくとも一部は、値"０（null）"に設定される。一実施形態において、ブロック８１２は、図３のトーン複製及び挿入ブロック３０８によって実装される。別の実施形態では、ネットワークインターフェースの別の好適な処理ブロックにより、ブロック８１２が実装される。
【００５１】
ブロック８１６において、ブロック８０４において生成された信号フィールドが、ＯＦＤＭシンボルの第２周波数部分に対応する第２の複数のデータサブキャリアにマッピングされる。例えば、図３におけるトーン複製及び挿入ブロック３０８は、信号フィールドを、ＯＦＤＭシンボルの第２周波数部分に対応する第２の複数のデータサブキャリアにマッピングする。別の実施形態では、ネットワークインターフェースのその他の好適な処理ブロックが、ブロック８１６を実装する。
【００５２】
ブロック８２０では、第２の複数のデータサブキャリアにおけるデータサブキャリアの一セットが、所定の値に設定される。例えば、一実施形態において、前記サブキャリアのセットにおけるサブキャリアの少なくとも一部は、値"＋１"又はその他の好適な値に設定される。一実施形態において、別の例では、サブキャリアのセットにおけるサブキャリアの少なくとも一部は、値"−１"又はその他の好適な値に設定される。一実施形態では、別の例として、サブキャリアのセットにおけるサブキャリアの少なくとも一部は、値"０（null）"に設定される。一実施形態において、ブロック８２０は、図３のトーン複製及び挿入ブロック３０８によって実装される。別の実施形態では、ネットワークインターフェースの別の好適な処理ブロックにより、ブロック８２０が実装される。
【００５３】
ブロック８２４では、第１周波数部分及び第２周波数部分におけるガードトーン、ＤＣトーン及び／又はパイロットトーンが設定される。一実施形態において、ＶＨＴパイロット生成ブロック３１０により、ブロック８２４が少なくとも部分的に実装される。別の実施形態では、ネットワークインターフェースの別の好適な処理ブロックにより、ブロック８２４が実装される。
【００５４】
ブロック８２８では、ＰＨＹデータユニットが送信される。一実施形態において、例えば、方法８００を実装するＰＨＹ処理ユニットは、少なくとも部分的にＰＨＹデータユニットを送信させる。
【００５５】
図９は、一実施形態に係る、ＶＨＴ−ＳＩＧＢのような信号フィールド又はその他の好適なフィールドを有するＰＨＹデータユニットの生成及び送信を行う方法９００の別の例を示したフローチャートである。方法９００は、ＰＨＹ処理ユニット２０（図１）、ＰＨＹ処理ユニット２９（図１）及び／又はＰＨＹ処理ユニット３００（図３）のようなＰＨＹ処理ユニットによって少なくとも部分的に実装され、図９は、説明を簡略にするために、図３を参照して説明される。しかしながら、他の実施形態では、その他の好適なＰＨＹ処理ユニット及び／又はネットワークインターフェースにより、方法９００が実装される。
【００５６】
ブロック９０４において、複数のトレーニングフィールドが生成される。例えば、一実施形態において、複数のＶＨＴ−ＬＴＦフィールドが生成される。ブロック９０８において、マッピング行列を使用して、トレーニングフィールドが信号ストリームにマッピングされる。一実施形態において、マッピング行列は、上記で説明した行列Ｐを含む。その他の実施形態において、その他の好適なマッピング行列が使用される。一実施形態において、ブロック９０８は、マッピングブロック３１２によって実装される。しかしながら、他の実施形態では、ＰＨＹ処理ユニット及び／又はネットワークインターフェースの別の好適なブロックにより、ブロック９０８が実装される。
【００５７】
ブロック９１２において、ＰＨＹデータユニットのプリアンブルの信号フィールドが生成される。一実施形態において、ＶＨＴ−ＳＩＧＢフィールドが生成される。別の実施形態では、別の好適な信号フィールドが生成される。ブロック９１６において、ブロック９０８で使用されたマッピング行列の一列を使用して、信号フィールドが複数の信号ストリームにマッピングされる。一実施形態において、上記に説明した行列Ｐの一列が使用される。他の実施形態では、別の好適なマッピング行列の一列が使用される。一実施形態において、行列Ｐの第１列が使用される。その他の実施形態では、行列Ｐの第１列以外の列が使用される。
【００５８】
ブロック９２０において、信号ストリームが空間ストリームにマッピングされる。一実施形態において、信号ストリームは、上記で説明した行列Ｑを使用して、空間ストリームにマッピングされる。別の実施形態では、その他の行列が使用される。一実施形態において、ブロック９２０は、空間マッピングブロック３１６により実装される。しかしながら、他の実施形態では、ＰＨＹ処理ユニット及び／又はネットワークインターフェースの別の好適なブロックにより、ブロック９２０が実装される。
【００５９】
ブロック９２４において、ＰＨＹデータユニットが送信される。一実施形態において、例えば、方法９００を実装するＰＨＹ処理ユニットは、少なくとも部分的にＰＨＹデータユニットを送信させる。ブロック９２４は、複数の空間ストリームを介して、少なくとも、ｉ）複数のトレーニングフィールド、及び、ｉｉ）信号フィールドを送信する（又は送信させる）ことを含む。
【００６０】
図１０は、一実施形態に係る、ＶＨＴ−ＳＩＧＢのような信号フィールド又はその他の好適なフィールドを有するマルチユーザＰＨＹデータユニットの生成及び送信を行う方法９５０の別の例を示したフローチャートである。方法９５０は、ＰＨＹ処理ユニット２０（図１）、ＰＨＹ処理ユニット２９（図１）及び／又はＰＨＹ処理ユニット３００（図３）のようなＰＨＹ処理ユニットによって少なくとも部分的に実装され、図１０は、説明を簡略にするために、図３を参照して説明される。しかしながら、他の実施形態では、その他の好適なＰＨＹ処理ユニット及び／又はネットワークインターフェースにより、方法９５０が実装される。
【００６１】
ブロック９５４において、マルチユーザＰＨＹデータユニットに対して、複数のトレーニングフィールドが生成される。例えば、一実施形態において、複数のＶＨＴ−ＬＴＦフィールドが生成される。ブロック９５８において、マッピング行列を使用して、トレーニングフィールドが信号ストリームにマッピングされる。一実施形態において、マッピング行列は、上記で説明した大きな行列Ｐを含む。その他の実施形態において、その他の好適なマッピング行列が使用される。一実施形態において、ブロック９５８は、マッピングブロック３１２によって実装される。しかしながら、他の実施形態では、ＰＨＹ処理ユニット及び／又はネットワークインターフェースの別の好適なブロックにより、ブロック９５８が実装される。
【００６２】
ブロック９６２において、マルチユーザＰＨＹデータユニットのプリアンブルの第１信号フィールドが生成され、第１信号フィールドは、第１クライアントデバイスに対応している。一実施形態において、ＶＨＴ−ＳＩＧＢフィールドが生成される。別の実施形態では、別の好適な信号フィールドが生成される。ブロック９６６において、ブロック９５８で使用されたマッピング行列の第１クライアントデバイスに対応する部分を使用して、第１信号フィールドが複数の信号ストリームにマッピングされる。一実施形態において、上記に説明した大きな行列Ｐの一列の第１クライアントデバイスに対応する部分が使用される。その他の実施形態では、別の好適なマッピング行列の一列の一部分が使用される。一実施形態において、大きな行列Ｐの第１列の一部分が使用される。その他の実施形態では、大きな行列Ｐの第１列以外の列の一部分が使用される。
【００６３】
ブロック９７０において、マルチユーザＰＨＹデータユニットのプリアンブルの第２信号フィールドが生成され、第２信号フィールドは、第２クライアントデバイスに対応している。一実施形態において、ＶＨＴ−ＳＩＧＢフィールドが生成される。別の実施形態では、別の好適な信号フィールドが生成される。ブロック９７４において、ブロック９５８で使用されたマッピング行列の第２クライアントデバイスに対応する部分を使用して、第２信号フィールドが複数の信号ストリームにマッピングされる。一実施形態において、上記に説明した大きな行列Ｐの一列の第２クライアントデバイスに対応する部分が使用される。その他の実施形態では、別の好適なマッピング行列の一列の一部分が使用される。一実施形態において、大きな行列Ｐの第１列の一部分が使用される。その他の実施形態では、大きな行列Ｐの第１列以外の列の一部分が使用される。一実施形態では、同じ列がブロック９６６及び９７４において使用される。
【００６４】
ブロック９７８において、信号ストリームが空間ストリームにマッピングされる。一実施形態において、信号ストリームは、上記で説明した行列Ｑを使用して、空間ストリームにマッピングされる。別の実施形態では、その他の行列が使用される。一実施形態において、ブロック９７８は、空間マッピングブロック３１６により実装される。しかしながら、他の実施形態では、ＰＨＹ処理ユニット及び／又はネットワークインターフェースの別の好適なブロックにより、ブロック９７８が実装される。
【００６５】
ブロック９８２において、マルチユーザＰＨＹデータユニットが送信される。例えば、一実施形態において、方法９５０を実装するＰＨＹ処理ユニットは、少なくとも部分的にＰＨＹデータユニットを送信させる。ブロック９８２は、複数の空間ストリームを介して、少なくとも、ｉ）複数のトレーニングフィールド、ｉｉ）第１信号フィールド、及び、ｉｉｉ）第２信号フィールドを送信する（又は送信させる）ことを含む。
【００６６】
上記で説明した様々なブロック、オペレーション及び技術の少なくとも一部は、ハードウェア、ファームウェア命令を実行するプロセッサ、ソフトウェア命令を実行するプロセッサ又はこれらの組み合わせを使用して実装されてもよい。ソフトウェア命令又はファームウェア命令を実行するプロセッサを利用して実装される場合、ソフトウェア命令又はファームウェア命令は、磁気ディスク、光ディスクのようなコンピュータ可読メモリ、又は、ＲＡＭ又はＲＯＭ又はフラッシュメモリ内のその他の記憶媒体、プロセッサ、ハードディスクドライブ、光ディスクドライブ、テープドライブ等に格納されてもよい。同様に、ソフトウェア命令又はファームウェア命令は、周知の任意の又は所望の供給方法、例えば、コンピュータ可読ディスク又はその他の可搬コンピュータ記憶メカニズムにより、又は、通信媒体を介して、ユーザ又はシステムに供給されてもよい。通信媒体は、典型的には、コンピュータ可読命令、データ構造、プログラムモジュール、又は、搬送波のような変調データ信号又はその他の搬送メカニズムにおけるその他のアデータの携帯で具現化される。"変調データ信号"とは、信号における情報をエンコードするような態様で設定又は変更された性質の１以上を有する信号を意味する。例えば、これに限定されないが、通信媒体とは、有線ネットワーク又は直接有線接続される接続のような有線媒体、及び、音波、無線周波数、赤外のような無線媒体及びその他の無線媒体を含む。そして、ソフトウェア命令又はファームウェア命令は、電話回線、ＤＳＬ回線、ケーブルテレビ回線、光ファイバー回線、無線通信チャネル、インターネット等（これらは、可搬記憶媒体を介したソフトウェアによる提供と同様又は交換可能と見なされる）のような通信チャネルを介して、ユーザ又はシステムに提供される。ソフトウェア命令又はファームウェア命令は、プロセッサによって実行されるとプロセッサに様々な動作を行わせる機械可読命令を含んでもよい。
【００６７】
ハードウェアに実装される場合、個別部品、集積回路、特定用途向け集積回路（ＡＳＩＣ）等の１以上を含んでもよい。
【００６８】
本発明が、本発明を限定するのではなく単に例示することを意図した特定の例を参照して説明されたが、本発明の範囲内において、開示された実施形態に対して様々な変更、付加及び／又は削除を行うことが可能である。
【図１】
0005850509.tif 000006
【図２】
0005850509.tif 000007
【図３】
0005850509.tif 000008
【図４】
0005850509.tif 000009
【図５】
0005850509.tif 000010
【図６】
0005850509.tif 000011
【図７】
0005850509.tif 000012
【図８】
0005850509.tif 000013
【図９】
0005850509.tif 000014
【図１０】
0005850509.tif 000015